(57)【要約】【課題】本発明は、メモリーカード等の記憶媒体から情報を取得し印刷する型式の印刷装置に関し、搬送性の高い印刷装置を提供することを目的とする。【解決手段】本発明はメモリカードから入手した情報を印刷する印刷装置であって、装置正面には、上記メモリカードから読み出した情報を選択して印刷するための操作を行う操作部１０と、複数の印刷用紙を重ねて収納可能な用紙トレイ７０を収納するトレイ収納部３０と、上記メモリーカードを挿入するメモリカード収納部２０と、装置の印刷時に印刷用紙を供給するためにトレイを装着するトレイ装着部４０とを備え、トレイ収納部３０とトレイ装着部４０との間に、操作部１０とメモリカード収納部２０とが設けられている。【選択図】図３
2006289898.tif 000002
【特許請求の範囲】
【請求項１】
メモリカードから入手した情報を印刷する印刷装置であって、前記装置正面には、上記メモリカードから読み出した情報を選択して印刷するための操作を行う操作部と、複数の印刷用紙を重ねて収納可能なトレイ部を収納するトレイ収納部と、上記メモリーカードを挿入するカード収納部と、前記装置の印刷時に印刷用紙を供給するために前記トレイを装着するトレイ装着部とを備え、前記トレイ収納部と前記トレイ装着部との間に、前記操作部とカード収納部とが設けられていることを特徴とする印刷装置。
【請求項２】
請求項１記載の印刷装置において、前記トレイ収納部は、更に、テレビに上記メモリカードから読み出した情報を出力する為に接続するテレビ接続ケーブルを収納するケーブル収納部を有することを特徴とする印刷装置。
【請求項３】
請求項１記載の印刷装置において、更に、前記装置を搬送するための把持部と、印刷インクカートリッジを収納するカートリッジ収納部とを備え、当該把持部とカートリッジ収納部とが前記装置の左右側部に対向して設けられていることを特徴とする印刷装置。
【請求項４】
請求項１記載の印刷装置において、更に、前記装置の電源コードを収納するコード収納部を備え、当該コード収納部が前記装置の後部に前記トレイ装着部に対向して設けられていることを特徴とする印刷装置。
【発明の詳細な説明】
【技術分野】
【０００１】
この発明は、メモリーカード等の記憶媒体から情報を取得し印刷する型式の印刷装置に関する。
【背景技術】
【０００２】
従来の印刷装置は、複数の印刷用紙を重ねて収納するトレイのほぼ全体が印刷装置のなかに収納され、印刷を行うという構成をとっていた。
【特許文献１】実開平５−１３７６０号公報
【発明の開示】
【発明が解決しようとする課題】
【０００３】
従来の印刷装置は、複数の印刷用紙を重ねて収納するトレイのほぼ全体が印刷装置のなかに収納されていたために、用紙分離部等との位置関係により、装置容量が大きくなり、かさばってしまうため、装置自体の搬送が困難であるという課題があった。
【０００４】
そこで本発明は、当該課題を解決し搬送性の高い印刷装置を提供することを目的とする。
【課題を解決するための手段】
【０００５】
従来の課題を解決するために本発明は、装置正面には、上記メモリカードから読み出した情報を選択して印刷するための操作を行う操作部と、複数の印刷用紙を重ねて収納可能なトレイ部を収納するトレイ収納部と、上記メモリーカードを挿入するカード収納部と、上記装置の印刷時に印刷用紙を供給するために上記トレイを装着するトレイ装着部とを備え、上記トレイ収納部と上記トレイ装着部との間に、上記操作部とカード収納部とが設けられている構成となっている。
【発明の効果】
【０００６】
本発明によれば、コンパクト性及び操作性が高く、搬送が容易な印刷装置を提供することができる。
【発明を実施するための最良の形態】
【０００７】
上記課題を解決するために、本発明の第１の発明は、メモリカードから入手した情報を印刷する印刷装置であって、前記装置正面には、上記メモリカードから読み出した情報を選択して印刷するための操作を行う操作部と、複数の印刷用紙を重ねて収納可能なトレイ部を収納するトレイ収納部と、上記メモリーカードを挿入するカード収納部と、前記装置の印刷時に印刷用紙を供給するために前記トレイを装着するトレイ装着部とを備え、前記トレイ収納部と前記トレイ装着部との間に、前記操作部とカード収納部とが設けられている。この構成により、操作性を低下させることなく、装置をコンパクトに構成することができる。
【０００８】
本発明の第２の発明は、前記トレイ収納部が、更に、テレビに上記メモリカードから読み出した情報を出力する為に接続するテレビ接続ケーブルを収納可能である。この構成により、当該接続ケーブルもトレイ収納部と同じ箇所に収納できるので、使用前のケーブル取り付け時に容易に取り出すことができる。
【０００９】
本発明の第３の発明は、請求項１記載の印刷装置において、更に、上記装置を搬送するための把持部と、印刷インクカートリッジを収納するカートリッジ収納部とを備え、それぞれが前記装置の各側部に対向して設けられて構成されている。この構成により、装置のコンパクト性が高くなる。
【００１０】
本発明の第４の発明は、請求項１記載の印刷装置において、更に、上記装置の電源コードを収納するコード収納部を備え、当該コード収納部が上記装置の後部に上記トレイ装着部に対向して設けられている。この構成により、コンパクト性が高くなる。
【実施例】
【００１１】
以下に本発明の印刷装置の実施例を図面に沿って説明する。図１は本発明の印刷装置の実施例における外観斜視図である。図１において、本実施例の装置本体Ａには、その正面に操作部１０、メモリカード収納部２０、トレイ収納部３０、トレイ装着部４０、その側面に把持部５０、その後部にコード収納部６０が設けられている。また、ケーブル収納部３４がトレイ収納部３０内に設けられている（図２参照）。
【００１２】
先ず、操作部１０は、電源スイッチ、メモリカード（図示せず）からの情報を選択する選択スイッチ、確定スイッチ、印刷スイッチ等が、ユーザーが操作を間違わないように装置本体Ａの操作部１０を正面に見て左側から順番に配列されている。
【００１３】
上述の通り、操作部１０は、上側平面に設けられているが、装置前面の側部は、その断面が略半円形であり、全体として前面側に突出した湾曲形状となっている。その湾曲形状部の上側半分の位置には、上記メモリカード収納部２０が設けられている。また、トレイ装着部４０は、上記湾曲部より奥まった位置にカバー部４１の前面が位置して設けられており、コンパクト性とユーザの使い易さが高まっている。
【００１４】
図２は本発明の印刷装置の実施例における各カバーを開放した図である。図２において、メモリカード収納部２０は、メモリカード収納部２０を覆うメモリカード収納カバー部２２を有し、当該メモリカード収納部２０の内部には、カード挿入スロット２３が設けられて、そこにメモリカードが挿入可能となっている。当該メモリカードに格納された情報は、操作部１０の各スイッチの操作により本装置に採用された読み取り機能が作動して読み取られるようになっている。その読み取られた情報は、上記各操作スイッチによって選択され、装置本体に格納された印刷部（図示せず）により印刷される。このメモリカード収納部２０は、開放ボタン２１をスライドさせることにより開く。この構成により、幼児等が誤ってメモリカードを取り出すことがないようになっている。
【００１５】
トレイ収納部３０は、装置本体の上部正面に配置され、トレイ収納カバー部３１によって覆われている。また、上述のように、トレイ収納部３０には、テレビとの接続用のケーブルが収納されるケーブル収納部３４が内蔵されている。そのカバー部３１は、取り付け部３２が装置本体の端部に設けられて、カバー部３１は、開閉ボタン３５（図４参照）をスライドすることにより、その取り付け部３２を軸として回転して開くようになっている（図２参照）。ケーブル収納部３４には、テレビ接続ケーブル３６が収納される。また、カバー部３１には、トレイ収納確認窓部３３が設けられ、トレイ収納部３０内に用紙トレイ７０（図２参照）が収納されているか否かを確認できるようになっている。
【００１６】
図１において、トレイ装着部４０は、トレイ収納部３０から取り出した用紙トレイ７０を装着するようになっており、装着カバー部４１がトレイ装着部４０を覆っている。この装着カバー部４１は、図２に示すように装置正面側の側面部の端部にその取り付け部が設けられ、その取り付け部の軸を中心に回転して開くようになっており、装置本体Ａが置かれる床面までは開かないような構造になっており、トレイ装着部４０を装着カバー部４１で覆う際に閉めやすくなっている。また一定以上の荷重が装着カバー部４１に加わるとそれが装置本体Ａより外れ、装着カバー部４１が破損することを防止する構造となっている。用紙トレイ７０は、その端部をトレイ装着部４０に装着して印刷用紙に印刷が可能な状態となる（図３参照）。図３は本発明の印刷装置の実施例における用紙トレイを装着した図である。
【００１７】
図１において、把持部５０が装置側面の把持収納部５１内に取り付けられている。この把持部５０は、使用しない場合、当該把持部収納部５１に完全に収納されるようになっている。また、把持部５０は、その取り付け部が装置側面の下部にあり、回転して使用状態にするため装置本体Ａの上面側の側面から取り出すようになっている（図２参照）。
【００１８】
図４は本発明の印刷装置の実施例における後面斜視図である。また、図５は本発明の印刷装置の実施例における各カバーを開放した図である。図４において、インクカセット収納部９０は、装置側面に設けられて、インクカセット１００を収納する。そのインクカセット収納部９０は、インク収納カバー部８１により覆われている。また、そのインク収納カバー部８１の取り付け部は、上記側面の下部であり、その取り付け部を中心に回転して開くようになっている。
【００１９】
図４において、電源コード６６及びＵＳＢケーブル６７を収納する電源コード収納部６０は、装置本体Ａの後部に設けられ、装置上側面より下方にその上部が位置するように設けられている。また、コード収納カバー部６１とソケット収納カバー部６３とを有し、それらは上記装置後面に水平方向に並んで配置され、かつ相互に連通している。また、コード収納カバー部６１は、その取り付け部が装置後面部の下部であり、当該取り付け部を軸として回転して開くようになっており、また電源コードを電源コードソケット部６２に接続した場合も、コード収納カバー部６１に切り欠きが設けてあるため取り付け部を軸として回転しコード収納カバー部６１を閉じることができるようになっている。（図５参照）。
【００２０】
図５において、ソケット収納カバー部６３は、装置側部に設けられたテレビ接続ソケット部６４、ＵＳＢソケット部６５を覆うようになっており、ソケット収納カバー部６３はコード収納カバー部６１方向にスライドして開くようになっている。図６では、ユーザが、各ケーブルを装着して使用する状態が図示されて、テレビ接続ソケット部６４にテレビ接続ケーブル６８が装着され、ＵＳＢソケット部６５にＵＳＢケーブル６７が装着されている。
【００２１】
図７は本発明の印刷装置の実施例における使用説明図である。図７で装置本体Ａにて、把持部５０を装置側面から取り出して搬送する場合の形態を図示したものであり、トレイ収納カバー部３１、メモリカード収納カバー部２２、装着カバー部４１の各カバー部が垂直方向に伸びた軸線の周りに回転して開くようになっている。この構成により、搬送中の上下振動によって各カバー部が開く可能性が減少して被収納物が各収納部から落ちないようになっている。
【００２２】
従って、装置上側面には、トレイ収納部３０、操作部１０が設けられ、前面側部には、メモリカード収納部２０が、また、装置側部には、インクカセット収納部９０並びに把持部収納部５１が設けられており、更に、装置後面部には、電源コードソケット部６２、テレビ接続ソケット部６４及びＵＳＢソケット部６５をカバーするように設けられたコード収納部６０が設けられていることにより、多数の収納部を設けられているのにも拘わらず、突出した部材が少なく、装置全体が極めてコンパクトとなり、かつ搬送性が高まっている。
【産業上の利用可能性】
【００２３】
本発明は、収納物が多いながら移動する際にコンパクトなために搬送が容易な印刷装置に適用できる。
【図面の簡単な説明】
【００２４】
【図１】本発明の印刷装置の実施例における外観斜視図
【図２】本発明の印刷装置の実施例における各カバーを開放した図
【図３】本発明の印刷装置の実施例における用紙トレイを装着した図
【図４】本発明の印刷装置の実施例における後面斜視図
【図５】本発明の印刷装置の実施例における各カバーを開放した図
【図６】本発明の印刷装置の実施例における使用説明図
【図７】本発明の印刷装置の実施例における使用説明図
【符号の説明】
【００２５】
１０    操作部
２０    メモリカード収納部
２１    開放ボタン
２２    メモリカード収納カバー部
２３    カード挿入スロット
３０    用紙トレイ収納部
３１    トレイ収納カバー部
３２    取り付け部
３３    トレイ収納確認窓部
３４    ケーブル収納部
３５    開閉ボタン
３６    テレビ接続ケーブル
４０    トレイ装着部
４１    装着カバー部
５０    把持部
５１    把持部収納部
６０    コード収納部
６１    コード収納カバー部
６２    電源コードソケット部
６３    ソケット収納カバー部
６４    テレビ接続ソケット部
６５    ＵＳＢソケット部
６６    電源コード
６７    ＵＳＢケーブル
７０    用紙トレイ
８０    インクカセット収納部
８１    インク収納カバー部
９０    インクカセット収納部
１００    インクカセット
【図１】
2006289898.tif 000003
【図２】
2006289898.tif 000004
【図３】
2006289898.tif 000005
【図４】
2006289898.tif 000006
【図５】
2006289898.tif 000007
【図６】
2006289898.tif 000008
【図７】
2006289898.tif 000009